(57)【要約】【課題】  Оリングの代わりにグロメットを用いた場合においても、ハウジングに設けられたОリングを支持するための突起がグロメットに当たらないように構成することにより、グロメットが破損しないようにするとともに、ハウジングの形状を変更する必要のない燃料噴射弁を提供する。【解決手段】  ニードルバルブ１０が結合されたアマチュア４及び電磁コイル７等からなるソレノイド装置の外周を囲むようにして設けられたハウジング２の先端部のОリング装着部にリング１４を取り付け、更にグロメット１５をこのリング１４を介してハウジング２に装着するようにすることにより、ハウジング２の先端部における突起２ａがグロメット１５に接触することがなくなり、グロメット１５の破損を防止することができるとともに、Оリング仕様のハウジングとして利用することができる。【選択図】        図１
2006336471.tif 000002
【特許請求の範囲】
【請求項１】
燃料噴射弁の一端に設けられ噴射口を有する弁座と、この弁座に離接して上記噴射口を開閉する弁体と、この弁体を移動させるためのソレノイド装置と、上記弁体及びソレノイド装置の外周に設けられたハウジングとからなる燃料噴射弁において、上記ハウジングの先端部にリングを取り付け、このリングを介してグロメットを上記ハウジングに取り付けたことを特徴とする燃料噴射弁。
【請求項２】
上記リングに切れ目を設けたことを特徴とする請求項１記載の燃料噴射弁。
【請求項３】
上記リングを樹脂または金属で構成したことを特徴とする請求項１又は請求項２記載の燃料噴射弁。
【発明の詳細な説明】
【技術分野】
【０００１】
この発明は、燃料噴射弁に関するものであり、特にエンジンの吸気管に設けられたボス部等に嵌合して取り付けられる燃料噴射弁に関するものである。
【背景技術】
【０００２】
図６は従来の燃料噴射弁を示す断面図であり、従来の燃料噴射弁においては、ハウジング２１の先端を絞り加工することによって小型化して磁気回路を構成するとともに、ハウジング２１の外周面にОリング２２を装着し、更にハウジング２１の先端にはОリング２２を支持するための突起２１ａが設けられており、外装モールドと同時に成形された円盤２３がこの突起２１ａに固定されているものがあった。
【０００３】
又結合部材にОリング支持用の突起を設けた電磁作動式の噴射弁もあった（特許文献１参照）。
【０００４】
【特許文献１】特開平１０−１２２０８５号公報
【発明の開示】
【発明が解決しようとする課題】
【０００５】
従来の燃料噴射弁は以上のように構成されていたので、ハウジング外周面にОリングを装着する構造を採用した場合、Оリングの代わりにグロメットを用いたシール方式に対応させるためには、グロメットの内径がОリングの内径と異なる場合が多いため、ハウジングの形状を変更する必要があるという問題点があった。
また例えグロメットの内径とОリングの内径が同じであっても、グロメットを使用する際、ハウジングに設けられた前記円盤２３を固定するための突起がグロメットに当たるため、エンジン振動等によりこすれることによって、グロメットを破損させるという問題点もあった。
【０００６】
この発明は上記のような課題を解決するためになされたものであり、Оリングの代わりにグロメットを用いた場合においても、ハウジングに設けられた円盤を固定するための突起がグロメットに当たらないように構成することにより、グロメットが破損しないようにするとともに、ハウジングの形状を変更する必要のない燃料噴射弁を提供することを目的とする。
【課題を解決するための手段】
【０００７】
この発明に係る燃料噴射弁は、燃料噴射弁の一端に設けられ噴射口を有する弁座と、この弁座に離接して噴射口を開閉する弁体と、この弁体を移動させるためのソレノイド装置と、弁体及びソレノイド装置の外周に設けられたハウジングとからなるものであって、ハウジングの先端部にリングを取り付け、このリングを介してグロメットをハウジングに取り付けたものである。
【発明の効果】
【０００８】
この発明に係る燃料噴射弁によれば、燃料噴射弁の一端に設けられ噴射口を有する弁座と、この弁座に離接して噴射口を開閉する弁体と、この弁体を移動させるためのソレノイド装置と、弁体及びソレノイド装置の外周に設けられたハウジングとからなるものであって、ハウジングの先端部にリングを取り付け、このリングを介してグロメットをハウジングに取り付けたので、ハウジングの突起によりグロメットが破損することがなくなり、Оリングを使用する場合とグロメットを使用する場合とに関わらず、ハウジングを同様に製作し、しいては燃料噴射弁を同様に製作できるので、生産コストを低減させることができる。
【発明を実施するための最良の形態】
【０００９】
実施の形態１．
図１はこの発明の実施の形態１による燃料噴射弁を示す断面図であり、図において、燃料噴射弁１にはハウジング２が設けられ、このハウジング２の先端には、Оリングを装着した場合にОリングを支持するための突起２ａが設けられている。コア３に対向してアマチュア４が設けられ、コア３の内部にはスプリング５が嵌装され、このスプリング５によってアマチュア４が閉弁方向に付勢されている。
【００１０】
又コア３の内部にはスプリング５のばね力を調整するためのアジャスター６が挿入されており、コア３とハウジング２の間には、磁気回路を形成するための電磁コイル７がボビン８により覆われて挿入されることにより、ソレノイド装置を構成している。電磁コイル７には、ターミナル９を介して駆動用の電気信号が印加される。アマチュア４の一端には弁体となるニードルバルブ１０が結合されており、このニードルバルブ１０はニードル部１０ａとボール弁体１０ｂとから構成されている。
【００１１】
燃料噴射弁１の先端部には燃料噴射口を有する弁座１１及びノズルプレート１２が設けられており、ニードルバルブ１０が弁座１１に離接することにより、燃料噴射口を開閉する。又ハウジング２とアマチュア４の間にはジャケット１３が設けられており、以上のように構成された燃料噴射弁１はインテークマニホールドにおけるボス部に取り付けられるものである。
【００１２】
本発明による燃料噴射弁の基本動作について以下説明する。
電磁コイル７に電気信号が印加されると、スプリング５の復帰力に打ち勝ってニードルバルブ１０がアマチュア４とともにコア３側に移動し、ボール弁体１０ｂが弁座１１から離れるため開弁し、燃料が吸気管内に噴射される。そして電磁コイル７に印加された電気信号を遮断すると、スプリング５の復帰力により、ニードルバルブ１０は弁座１１側に移動するので閉弁されることになる。
【００１３】
図２は燃料噴射弁１の先端部を示す断面図、図３はリングを示す斜視図、図４は同じく平面図、図５は同じく側面図である。
本願発明においては、ハウジング２の先端部のОリング装着部にリング１４を取付けることにより、ハウジング２の外径を実質的に変更することができ、Оリングの代わりにグロメット１５を取り付けても、グロメット１５を破損させないようにしたものである。
【００１４】
図において、ハウジング２の先端部におけるОリング装着部に円環状のリング１４を取り付け、そしてグロメット１５をリング１４を介してハウジング２に取り付ける。このようにグロメット１５を取付けることにより、外気と吸気管の間をシールすることができる。リング１４には拡径を容易にするための切れ目１４ａが設けられている。そしてリング１４の内径をハウジング２の外径よりも小さめに作っておけば、リング１４をハウジング２に対し強固に取り付けることができる。
【００１５】
又リング１４の材質としては、金属製のもの、及び樹脂製のものであっても良く、更には伸縮自在なもので構成してもよい。リング１４の厚さｔを変更することによって、ハウジング２の外径を実質的に変更することができ、厚さｔをハウジング２の突起２ａの高さよりも大きな値に設定することにより、突起２ａがグロメット１５に触れることがなくなるので、グロメット１５が破損しなくなる。
【００１６】
以上のように本発明によれば、ハウジング２の突起２ａによりグロメット１５が破損することがなくなるので、Оリングを使用する場合とグロメットを使用する場合とに関わらず、ハウジング２を同様に製作し、即ち燃料噴射弁を同様に製作できるので、生産コストを低減させることができる。
【図面の簡単な説明】
【００１７】
【図１】この発明の実施の形態１による燃料噴射弁を示す断面図である。
【図２】燃料噴射弁の先端部を示す断面図である。
【図３】リングを示す斜視図である。
【図４】リングを示す平面図である。
【図５】リングを示す側面図である。
【図６】従来の燃料噴射弁を示す断面図である。
【符号の説明】
【００１８】
１  燃料噴射弁、２  ハウジング、１０  弁体、１１  弁座、１４  リング、
１４ａ  切れ目、１５  グロメット。
【図１】
2006336471.tif 000003
【図２】
2006336471.tif 000004
【図３】
2006336471.tif 000005
【図４】
2006336471.tif 000006
【図５】
2006336471.tif 000007
【図６】
2006336471.tif 000008